(57)【要約】【課題】撮像装置において、ストロボ発光のタイミングミスを防止する。【解決手段】ストロボ発光が必要な時は、ＣＣＤ３６の電子シャッタの駆動が開始されると同時にストロボ発光用のトリガー信号がトリガー信号重畳回路５２に送られる。トリガー信号重畳回路５２は、ＴＧ４５から入力される垂直同期信号のＶブランキング期間を検出し、トリガー信号を水平同期信号に重畳した後、垂直・水平同期信号をアプリケーションプロセッサ３０に送る。アプリケーションプロセッサ３０では、トリガー信号重畳回路５２から入力された垂直同期信号からＶブランキング期間が検出され、この期間の水平同期信号からトリガー信号のパルスが検出される。電荷掃き出し期間において水平同期信号のパルスがカウントされ、発光タイミング情報と一致した時点でストロボ発光用のトリガー信号が生成され、ストロボ回路２８に送出される。【選択図】        図２
2007053534.tif 000002
【特許請求の範囲】
【請求項１】
撮像素子を有するカメラモジュールと、このカメラモジュールから出力された画像データに各種の処理を施すアプリケーションプロセッサとを備えた撮像装置において、
前記撮像素子を所定のフレームレートで駆動することにより撮像素子からスルー画像を出力させるスルー画モードと、
レリーズ操作に応動してスルー画モードから移行し、前記スルー画モード時の電荷を撮像素子から掃き出させてから本露光を行う静止画撮影モードと、
前記カメラモジュールに設けられ、前記撮像素子を駆動する駆動パルスに同期するとともに、前記撮像素子から出力される画像信号の処理に係る出力画像同期信号を発生してカメラモジュール及びアプリケーションプロセッサに入力するタイミングジェネレータと、
前記カメラモジュールに設けられ、前記レリーズ操作に応動してスルー画モードから静止画撮影モードに切り換わった直後に、前記アプリケーションプロセッサに入力される出力画像同期信号にストロボ発光用の第１トリガー信号を重畳させるトリガー信号重畳回路と、
前記アプリケーションプロセッサに設けられ、前記出力画像同期信号から第１トリガー信号を分離する分離回路と、
前記アプリケーションプロセッサに設けられ、前記出力画像同期信号から第１トリガー信号が分離された後、前記撮像素子の電荷掃き出し期間に対応する出力画像同期信号のパルス数をカウントするカウンタ回路と、
前記アプリケーションプロセッサに設けられ、前記カウンタ回路によって出力画像同期信号のパルス数がカウントされた後、ストロボ発光用の第２トリガー信号を生成してストロボ回路に出力するトリガー信号生成回路と
を設けたことを特徴とする撮像装置。
【請求項２】
前記タイミングジェネレータは、前記撮像素子を駆動する駆動パルスを発生する撮像素子駆動系のタイミングジェネレータとは別に設けられていることを特徴とする請求項１記載の撮像装置。
【請求項３】
前記トリガー信号重畳回路は、前記出力画像同期信号のうちの垂直同期信号の垂直ブランキング期間内に、前記出力画像同期信号のうちの水平同期信号に第１トリガー信号を重畳することを特徴とする請求項１または２記載の撮像装置。
【請求項４】
前記分離回路は、前記アプリケーションプロセッサに入力された出力画像同期信号の垂直同期信号の垂直ブランキング期間を検出し、この垂直ブランキング期間内の水平同期信号から第１トリガー信号を分離することを特徴とする請求項３記載の撮像装置。
【請求項５】
前記撮像素子の電荷掃き出し期間に対応する出力画像同期信号のパルス数は、前記第１トリガー信号とともに水平同期信号に重畳されることを特徴とする請求項３または４記載の撮像装置。
【請求項６】
前記第１トリガー信号と一緒にストロボ発光時間の情報を水平同期信号に重畳することを特徴とする請求項３ないし５いずれか記載の撮像装置。
【請求項７】
前記ストロボ発光時間の情報は、前記第１トリガー信号のパルスの幅で表されていることを特徴とする請求項６記載の撮像装置。
【発明の詳細な説明】
【技術分野】
【０００１】
本発明は、デジタルカメラやカメラ付き携帯電話等の撮像装置に関し、更に詳しくは撮像装置のストロボ制御に関するものである。
【背景技術】
【０００２】
撮像装置としては、ＣＣＤ等の固体撮像素子から出力される画像信号をデジタルデータに変換してメモリカードに記憶するデジタルカメラやカメラ付き携帯電話等が周知である。このような撮像装置では、液晶ディスプレイにスルー画を表示して被写体を観察し、所望のタイミングでシャッタボタンを押圧すると、撮影が行われるようになっている。また、この撮影時に被写体が暗い場合には、付属のストロボ装置が作動してストロボ光が発光される。
【０００３】
ストロボ光の発光タイミングは、ＣＣＤ駆動の垂直同期信号に同期させ、かつ露光期間中である必要がある。特に、ＣＣＤの電子シャッタでは、電荷の掃き出しが終了した後の本露光期間中にストロボ発光用のトリガーをかける必要があるが、ストロボ発光と電荷の掃き出し期間とが重なる場合（タイミングミス）があり得る。このような場合には、ストロボ発光を禁止するか、もしくはストロボ発光期間をずらすことになる。しかしながら、このような調整を行うと、思うようなタイミングでストロボ撮影することができないという問題が生じる。
【０００４】
一方、工場の検査ライン等に設置されるＣＣＤテレビカメラが知られている（例えば特許文献１）。このＣＣＤテレビカメラでは、外部トリガー信号の入力に基づいてＣＣＤテレビカメラの動作を制御する制御信号を出力し、この制御信号に基づいてＣＣＤの電荷の蓄積及び掃き捨て動作と、ＣＣＤに蓄積された電荷の出力動作が制御されるようにし、前記外部トリガー信号をストロボ発光のタイミングに同期した信号とすることにより、ストロボ発光禁止期間のないストロボ発光・画像取り込み動作を実現している。
【特許文献１】特開平０８−００９２６５号公報
【発明の開示】
【発明が解決しようとする課題】
【０００５】
上記特許文献１記載の発明は、常に画像を流し続けるテレビカメラであり、静止画撮影を行うデジタルカメラやカメラ付き携帯電話等の撮像装置にそのまま適用することはできない。
【０００６】
本発明は、ストロボ発光のタイミングミスを防止できる撮像装置を提供することを目的とする。
【課題を解決するための手段】
【０００７】
本発明の撮像装置は、撮像素子を有するカメラモジュールと、このカメラモジュールから出力された画像データに各種の処理を施すアプリケーションプロセッサとを備えた撮像装置において、前記撮像素子を所定のフレームレートで駆動することにより撮像素子からスルー画像を出力させるスルー画モードと、レリーズ操作に応動してスルー画モードから移行し、前記スルー画モード時の電荷を撮像素子から掃き出させてから本露光を行う静止画撮影モードと、前記カメラモジュールに設けられ、前記撮像素子を駆動する駆動パルスに同期するとともに、前記撮像素子から出力される画像信号の処理に係る出力画像同期信号を発生してカメラモジュール及びアプリケーションプロセッサに入力するタイミングジェネレータと、前記カメラモジュールに設けられ、前記レリーズ操作に応動してスルー画モードから静止画撮影モードに切り換わった直後に、前記アプリケーションプロセッサに入力される出力画像同期信号にストロボ発光用の第１トリガー信号を重畳させるトリガー信号重畳回路と、前記アプリケーションプロセッサに設けられ、前記出力画像同期信号から第１トリガー信号を分離する分離回路と、前記アプリケーションプロセッサに設けられ、前記出力画像同期信号から第１トリガー信号が分離された後、前記撮像素子の電荷掃き出し期間に対応する出力画像同期信号のパルス数をカウントするカウンタ回路と、前記アプリケーションプロセッサに設けられ、前記カウンタ回路によって出力画像同期信号のパルス数がカウントされた後、ストロボ発光用の第２トリガー信号を生成してストロボ回路に出力するトリガー信号生成回路とからなることを特徴とする。
【０００８】
また、前記タイミングジェネレータは、前記撮像素子を駆動する駆動パルスを発生する撮像素子駆動系のタイミングジェネレータとは別に設けられていることを特徴とする。また、前記トリガー信号重畳回路は、前記出力画像同期信号のうちの垂直同期信号の垂直ブランキング期間内に、前記出力画像同期信号のうちの水平同期信号に第１トリガー信号を重畳することを特徴とする。
【０００９】
また、前記分離回路は、前記アプリケーションプロセッサに入力された出力画像同期信号の垂直同期信号の垂直ブランキング期間を検出し、この垂直ブランキング期間内の水平同期信号から第１トリガー信号を分離することを特徴とする。また、前記撮像素子の電荷掃き出し期間に対応する出力画像同期信号のパルス数は、前記第１トリガー信号とともに水平同期信号に重畳されることを特徴とする。また、前記第１トリガー信号と一緒にストロボ発光時間の情報を水平同期信号に重畳することを特徴とする。また、前記ストロボ発光時間の情報は、前記第１トリガー信号のパルスの幅で表されていることを特徴とする。
【発明の効果】
【００１０】
本発明の撮像装置によれば、レリーズ操作に応動してスルー画モードから静止画撮影モードに切り換わった直後に、アプリケーションプロセッサに入力される出力画像同期信号にストロボ発光用の第１トリガー信号を重畳させるとともに、出力画像同期信号から第１トリガー信号が分離され、撮像素子の電荷掃き出し期間が経過した後、ストロボ発光用の第２トリガー信号を生成してストロボ回路に出力するようにしたので、ストロボ発光のタイミングが撮像素子の電荷掃き出し期間に重なるミスを防止できる。
【００１１】
また、前記タイミングジェネレータは、撮像素子駆動系のタイミングジェネレータとは別に設けてもよい。また、第１トリガー信号を垂直ブランキング期間内の水平同期信号に重畳するから、構成がシンプルになる。また、第１トリガー信号は、アプリケーションプロセッサに入力された出力画像同期信号の垂直同期信号の垂直ブランキング期間を検出し、この垂直ブランキング期間内の水平同期信号から分離するから、構成がシンプルになる。
【００１２】
また、撮像素子の電荷掃き出し期間に対応する出力画像同期信号のパルス数を第１トリガー信号とともに水平同期信号に重畳するので、ＣＰＵの負荷が少なくなる。また、第１トリガー信号と一緒にストロボ発光時間の情報を水平同期信号に重畳するので、ストロボ発光量の制御を簡単に行うことができる。ストロボ発光時間の情報は、第１トリガー信号のパルスの幅で表すようにするのが簡単である。
【発明を実施するための最良の形態】
【００１３】
本発明の第１実施形態であるカメラ付き携帯電話（以下単に携帯電話という）の外観を示す図１において、携帯電話１０は、ヒンジ部１１により折り畳み自在に連結された受話器ユニット１２と送話器ユニット１３とからなる。受話器ユニット１２には、アンテナ１４，受話スピーカ等を設けてある。また、この受話器ユニット１２には、その内面側にＬＣＤ（液晶ディスプレイ）１５（図２参照）を設けてある。
【００１４】
さらに、受話器ユニット１２には、カメラモジュール１７（図２参照）が内蔵されており、その撮影レンズ１８が受話器ユニット１２の背面に露出している。また、撮影レンズ１８の近傍には、撮影時に被写体に向けて照明光を照射するストロボ発光部２０が設けられている。このストロボ発光部２０は、ストロボ光源としての白色ＬＥＤと、この前方を覆うように受話器ユニット１２の背面に露呈された乳白色のアクリル板とからなる。
【００１５】
送話器ユニット１３の内面側には、送話マイク２３，ダイヤル操作や各種設定・操作を行うためのキー操作部２４等を設けてある。このキー操作部２４を操作することで、カメラモジュール１７で撮影を行う撮影モードとする。カメラモジュール１７は、撮影モード下では通常はスルー画モードで動作して動画の撮影を行い、その撮影した被写体像をスルー画としてＬＣＤ１５に表示する。このスルー画を観察することで、撮影者はフレーミングを行うことができる。スルー画モード中に、キー操作部２４の所定のキーによるレリーズ操作を行うと、これに応答して静止画記録モードとなり、カメラモジュール１７は、１フレームの静止画撮影を行い、得られる画像データを内部メモリ２５（図２参照）に記録する。
【００１６】
携帯電話１０の電気的構成は、図２に示すように、前記カメラモジュール１７，ストロボ発光部２０を駆動するストロボ回路２８，アプリケーションプロセッサ３０，電話通信回路（ベースバンド／ＲＦ）３２等からなる。前記カメラモジュール１７は、前記撮影レンズ１８，ＣＣＤ３６，ＡＦＥ（アナログフロントエンドチップ回路）３８，及びＤＳＰ（デジタルシグナルプロセッサ）４０からなる。
【００１７】
前記ＡＦＥ３８は、ＣＣＤ３６から出力されたアナログの画像信号からノイズを除去するＣＤＳ（相関二重サンプリング処理回路）４２と、前記画像信号を増幅するＡＭＰ（増幅処理回路）４３と、前記画像信号をデジタルの画像データに変換するＡ／Ｄ変換器４４と、ＴＧ（タイミングジェネレータ）４５とからなる。
【００１８】
前記ＤＳＰ４０は、画像信号処理回路４８，ＣＰＵ５０，及びトリガー信号重畳回路５２からなる。前記画像信号処理回路４８は、Ａ／Ｄ変換器４４から入力された画像データに対してホワイトバランスの調節，γ補正，データ圧縮・伸長等の処理を行う。
【００１９】
前記ＣＰＵは、操作部２４からのレリーズ操作信号が入力されると、ＴＧ４５にコマンドを送るとともに、ストロボ発光用のトリガー信号をトリガー信号重畳回路５２に送る。前記ＴＧ４５は、ＣＣＤ駆動用の同期信号をＣＣＤ３６に送り、ＣＣＤ３６の電子シャッタを駆動する。また、前記ＴＧ４５は、画像信号処理回路４８及びトリガー信号重畳回路５２に画像処理用の同期信号を送る。
【００２０】
前記トリガー信号重畳回路５２は、前記ＴＧ４５から入力された同期信号に、ＣＰＵ５０から入力されたストロボ発光用のトリガー信号を重畳してイネーブル信号とし、アプリケーションプロセッサ３０に送る。
【００２１】
前記アプリケーションプロセッサ３０は、主にマルチメディア処理やウェブブラウジング等のアプリケーション処理を行うＬＳＩであるが、本実施形態では、図３に示すように、ＣＰＵ５５及びパルス分離回路・カウンタ回路・トリガー信号生成回路５６を設けてある。ＣＰＵ５５は、カメラモジュール１７のＣＰＵ５０と交信し、パルス分離回路・カウンタ回路・トリガー信号生成回路５６を制御してストロボ発光用のトリガー信号を生成し、ストロボ回路２８に送る。
【００２２】
また、前記アプリケーションプロセッサ３０には、前記内部メモリ２５の他、前記ＬＣＤ１５を駆動するＬＣＤドライバ５８が接続されている。前記電話通信回路３２は、デジタル化された音声信号またはデータ信号の処理回路であるベースバンド回路と、高周波の信号処理回路であるRF回路とからなり、通信や通話などの電話機としての基本機能の処理を行う。
【００２３】
このように構成された携帯電話１０の作用について図４〜図６を参照しながら説明する。撮影を行う場合には、操作部２４を操作して、撮影モードを選択する。これにより、ＣＣＤ３６が所定のフレームレート（例えば、１秒間に３０コマ）で駆動され、ＣＣＤ３６からスルー画像が出力される。この画像データは、アプリケーションプロセッサ３０を介してＬＣＤドライバ５８に送られる。ＬＣＤドライバ５８は、入力される画像データに基づいてＬＣＤ１５を駆動する。これにより、カメラモジュール１７で撮影中の被写体のスルー画がＬＣＤ１５に表示され（ｓｔ１）、これを観察することで撮影範囲を知ることができる。
【００２４】
撮影者は、ＬＣＤ１５に表示されるスルー画を観察しながらフレーミングし、次に操作部２４を操作してレリーズ操作を行う（ｓｔ２）。このレリーズ操作が行われると、レリーズ信号がＣＰＵ５０に送られ、静止画撮影処理に移行する（ｓｔ３）。静止画撮影処理に移行すると、ＣＰＵ５０は、レリーズ信号が入力される直前のスルー画の画像データからＡＥ情報を取得し（ｓｔ１１）、ストロボ光を発光すべきか否か判断する（ｓｔ１２）。
【００２５】
ＣＰＵ５０は、ストロボ発光すべきと判断した場合には、ＴＧ４５にコマンドを送り、ＣＣＤ３６の電子シャッタの駆動を開始すると同時に、ストロボ発光用のトリガー信号をトリガー信号重畳回路５２に送る。トリガー信号重畳回路５２は、ＴＧ４５から入力される垂直（Ｖ）同期信号のＶブランキング期間を検出し（ｓｔ１３）、図６のタイミングチャートに示すように、トリガー信号を水平（Ｈ）同期信号に重畳した後（ｓｔ１４）、垂直同期信号及び水平同期信号からなる制御信号をアプリケーションプロセッサ３０のパルス分離回路・カウンタ回路・トリガー信号生成回路５６に送る（ｓｔ１５）。
【００２６】
一方、ＣＣＤ３６の電子シャッタが駆動を開始すると、まず蓄積電荷の掃き出しが行われた後、露光（電荷の蓄積）が開始される。ＣＰＵ５５は、前記蓄積電荷の掃き出しが開始されてから水平同期信号の何ライン目（何個目のパルス）でストロボ発光すべきかの発光タイミング情報をＣＰＵ５０から取得しておく（ｓｔ２１）。
【００２７】
パルス分離回路・カウンタ回路・トリガー信号生成回路５６は、前記トリガー信号重畳回路５２から入力された垂直同期信号からＶブランキング期間を検出し（ｓｔ２２）、水平同期信号からトリガー信号のパルスを検出する（パルス分離）（ｓｔ２３）。そして、電荷掃き出し期間において水平同期信号（ＨＤ）のパルス数をカウントし（ｓｔ２４）、この数が前記発光タイミング情報と一致した時点で（ｓｔ２５）、ストロボ発光用のトリガー信号を生成してストロボ回路２８に送出する（ｓｔ２６）。
【００２８】
このようにＣＣＤ３６の電子シャッタが駆動される間に、ストロボ発光部２０から被写体にストロボ光が照射される。１フレーム分の画像データがアプリケーションプロセッサ３０に入力されると、データ圧縮等の処理が施されてから内部メモリ２５に記録される。撮影を止める場合には、操作部２４を操作して撮影モードを解除する（ｓｔ４）。
【００２９】
次に、本発明の第２実施形態を示す図７において、第２実施形態は、上記第１実施形態が、カメラモジュールに設けられた１個のＴＧによって、ＣＣＤ駆動系と、ＣＣＤから出力された画像信号の処理等を行う出力画像処理系との両方に同期信号を供給する同期系システムの携帯電話であったのに対し、カメラモジュール６０に設けられたＣＣＤ駆動系のＴＧ４５とは別に出力画像処理系のＴＧ６４を有する非同期系システムである。すなわち、ＴＧ６４から出力される水平同期信号にトリガー信号を重畳する。なお、静止画撮影モードでは、ＴＧ６４は、ＴＧ４５と連携（同期）して同期信号を出力するのは勿論である。
【００３０】
なお、本実施形態では、カメラモジュール６０に、画像信号処理回路４８との間で圧縮処理を施していない画像データ（ＲＡＷデータ）を読み書きする外部メモリ６６を設けてある。これにより、カメラモジュール６０で撮影された画像をパーソナルコンピュータに移してより高度な処理を施すこともできる。
【００３１】
次に、本発明の第３実施形態を示す図８において、アプリケーションプロセッサ７０は、パルス分離回路７２，カウンタ回路７３，トリガー信号生成回路７４をそれぞれ別々に設けてある。図９及び図１０に示すように、ＤＳＰのトリガー信号重畳回路は、垂直同期信号のＶブランキング期間中に、水平同期信号をオン／オフすることで水平ラインのカウント数情報（タイミング情報）をシリアル化し（ｓｔ３４）、このシリアルデータを水平同期信号に重畳する（ｓｔ３５）。
【００３２】
この水平同期信号がアプリケーションプロセッサ７０に入力されると、パルス分離回路７２がタイミング情報に係るシリアルデータを検出し（ｓｔ４２）、水平同期信号からカウント数情報を分離し、これをカウンタ回路７３にセットする。カウンタ回路７３が水平同期信号のパルスの個数（水平ラインの本数）をカウントし（ｓｔ２４）、この個数がカウント数情報（タイミング情報）に達した時（ｓｔ２５）の水平同期信号のブランキングパルスをトリガー信号生成回路７４がそのままトリガー信号としてストロボ回路２８に出力する（ｓｔ２６）。
【００３３】
次に、本発明の第４実施形態を示す図１１において、アプリケーションプロセッサ８０は、前記アプリケーションプロセッサ７０に停止用カウンタ８２を追加したものである。トリガー信号重畳回路は、水平同期信号をオン／オフすることで水平ラインのカウント数情報（タイミング情報）及び発光時間情報をシリアル化し、これらを水平同期信号に重畳する。なお、本実施形態におけるタイミングチャートは、上記第３実施形態の図９に示すものと同様であるから、省略する。
【００３４】
パルス分離回路７２が水平同期信号からカウント数情報及び発光時間情報を分離した後、カウント数情報をカウンタ回路７３にセットし、発光時間情報を停止用カウンタ８２にセットする。カウンタ回路７３が水平同期信号のパルスの個数（水平ラインの本数）をカウントし、この個数がカウント数情報に達した時の水平同期信号のブランキングパルスをトリガー信号生成回路７４がそのままトリガー信号としてストロボ回路２８に出力すると同時に、停止用カウンタ８２にも出力する。この時点から停止用カウンタ８２は、時間のカウントを開始し、これが発光時間情報と一致した時、ストロボ回路２８に発光停止信号を送る。
【００３５】
次に、本発明の第５実施形態を示す図１２において、アプリケーションプロセッサ９０は、パルス分離回路９１により、カメラモジュール１７のＤＳＰ４０やカメラモジュール６０のＤＳＰ６２で水平同期信号に重畳されたトリガー信号を水平同期信号から取り出して、そのままストロボ回路２８に送る。これにより、前記アプリケーションプロセッサ７０からカウンタ回路や発光トリガー信号生成回路を省略できる。
【００３６】
次に、本発明の第６実施形態を示す図１３において、カメラモジュール９４のＤＳＰ９５は、前記第２実施形態と同様のＤＳＰに、ストロボ発光時間に応じて水平同期信号に重畳するトリガー信号のパルス幅を変更するパルス幅制御回路９６を設けてある。また、アプリケーションプロセッサ９８には、発光トリガー信号生成回路９９，発光停止信号生成回路１００が設けられている。
【００３７】
前記発光トリガー信号生成回路９９は、トリガー信号重畳回路５２から入力された水平同期信号からトリガー信号を分離してストロボ回路２８に送出するとともに、トリガー信号のパルス幅に基づいてストロボ発光時間を求め、これを発光停止信号生成回路１００に入力する。発光停止信号生成回路１００は、発光トリガー信号生成回路９９から入力されたストロボ発光時間に基づいて発光停止信号を生成し、ストロボ回路２８に送出する。
【００３８】
次に、本発明の第７実施形態を示す図１４において、第７実施形態は、前記カウント数情報と発光時間情報とを水平同期信号の複数のブランキングパルスに重畳するようにしたもので、多数の情報を無理なくアプリケーションプロセッサに送ることができる。なお、本実施形態では、「０１１」で表された情報が水平同期信号によって送られる。
【００３９】
なお、アプリケーションプロセッサからの制御コマンド（ＡＰＩコマンド）の発行によって、トリガー信号の重畳を行う制御回路をＤＳＰに設けることもできる。また、水平同期信号に重畳するトリガー信号の他に、本発光の前に赤目現象の発生を抑えるプレ発光を行うためのトリガー信号を付加することもできる。
【００４０】
また、上記実施形態は、カメラ付き携帯電話であったが、本発明はこれに限定されることなく、単体のデジタルカメラやカメラ付きＰＤＡでもよい。
【図面の簡単な説明】
【００４１】
【図１】本発明の携帯電話の外観を示す斜視図である。
【図２】本発明の第１実施形態の電気的構成を示すブロック図である。
【図３】第１実施形態のアプリケーションプロセッサの主な構成を示すブロック図である。
【図４】撮影モードの主なシーケンスを示すフローチャートである。
【図５】第１実施形態の静止画撮影処理における主なシーケンスを示すフローチャートである。
【図６】第１実施形態の主なタイミングチャートである。
【図７】本発明の第２実施形態の電気的構成を示すブロック図である。
【図８】本発明の第３実施形態のアプリケーションプロセッサの主な構成を示すブロック図である。
【図９】第３実施形態の主なタイミングチャートである。
【図１０】第３実施形態の静止画撮影処理における主なシーケンスを示すフローチャートである。
【図１１】本発明の第４実施形態のアプリケーションプロセッサの主な構成を示すブロック図である。
【図１２】本発明の第５実施形態のアプリケーションプロセッサの主な構成を示すブロック図である。
【図１３】本発明の第６実施形態の電気的構成を示すブロック図である。
【図１４】本発明の第７実施形態の主なタイミングチャートである。
【符号の説明】
【００４２】
１０  携帯電話
１７，６０，９４  カメラモジュール
２０  ストロボ発光部
２８  ストロボ回路
３０，７０，８０，９０，９８  アプリケーションプロセッサ
３８  ＡＦＥ
４０，６２，９５  ＤＳＰ
４５，６４  ＴＧ
５０，５５  ＣＰＵ
５２  トリガー信号重畳回路
５６  パルス分離回路・カウンタ回路・トリガー信号生成回路
７２，９１  パルス分離回路
７３  カウンタ回路
７４  トリガー信号生成回路
８２  停止用カウンタ
９６  パルス幅制御回路
９９  発光トリガー信号生成回路
１００  発光停止信号生成回路
【図１】
2007053534.tif 000003
【図２】
2007053534.tif 000004
【図３】
2007053534.tif 000005
【図４】
2007053534.tif 000006
【図５】
2007053534.tif 000007
【図６】
2007053534.tif 000008
【図７】
2007053534.tif 000009
【図８】
2007053534.tif 000010
【図９】
2007053534.tif 000011
【図１０】
2007053534.tif 000012
【図１１】
2007053534.tif 000013
【図１２】
2007053534.tif 000014
【図１３】
2007053534.tif 000015
【図１４】
2007053534.tif 000016